(57)【要約】      （修正有）【課題】１台のテーブルで着座位置から立った姿勢までの２倍を超えるストロークを確保することが出来る電動昇降テーブルを提供する。【解決手段】前下第１リンクＦＬ１、前下第２リンクＦＬ２、前上第１リンクＦＵ１、前上第２リンクＦＵ２からなる前リンク機構と後下第１リンク、後下第２リンク、後上第１リンク、後上第２リンクからなる後リンク機構を一定の距離をおき前後に平行に配し、前上第１リンクと後上第１リンクとはスライドによって下部が一体に締結構成され、また前上第２リンクフ２と後上第２リンクとはスライドによって下部が一体に締結構成され、電動モーターの回動により左右一体ネジが回動し、各スライド間の距離を変えることで各リンクを回動、摺動せしめ、下フレームＦ１に対する上フレームＦ２の上下位置を調整する。【選択図】  図１
2004290644.tif 000002
【特許請求の範囲】
【請求項１】
下フレームの前方一端側にその一端を回動自在に装設されるとともに他の端部が上フレーム前方に摺動自在に装架される前下第１リンク、下フレーム前方の他端側にその一端を回動自在に装設されるとともに他の端部が上フレーム前方に摺動自在に装架される前下第２リンク、上フレーム前方の一端側にその一端を回動自在に装設されるとともに他の端部が下フレーム前方に摺動自在に装架される前上第１リンク、下フレーム前方の他端側にその一端を回動自在に装設されるとともに他の端部が上フレーム前方に摺動自在に装架される前上第２リンク、以上４つのリンクは前下第１リンクと前上第１リンクの交差部及び前下第２リンクと前上第２リンクの交差部は相互に回転自在に結ばれる前リンク機構。
下フレーム後方の一端側にその一端を回動自在に装設されるとともに他の端部が上フレーム後方に摺動自在に装架される後下第１リンク、下フレーム後方の他端側にその一端を回動自在に装設されるとともに他の端部が上フレーム後方に摺動自在に装架される後下第２リンク、上フレーム後方の一端側にその一端を回動自在に装設されるとともに他の端部が下フレーム後方に摺動自在に装架される後上第１リンク、下フレーム後方の他端側にその一端を回動自在に装設されるとともに他の端部が上フレーム後方に摺動自在に装架される後上第２リンク、以上４つのリンクは後下第１リンクと後上第１リンクの交差部及び後下第２リンクと後上第２リンクの交差部は相互に回転自在に結ばれる後リンク機構。
以上２組のリンク機構を一定の距離をおき前後に平行に配し、上フレーム上面にはテーブルの天板が載置されるかまたは上フレーム上面が天板となり、下フレームに摺動自在に装架される前上第１リンクと後上第１リンクとはスライドＳ１によって下部が一体に締結構成され、また前上第２リンク、ＦＵ２と後上第２リンクとはスライドＳ２によって下部が一体に締結構成され、スライドＳ１にはネジ式直動機構のナットＮ１を設け、スライド２にはネジ式直動機構のナットＮ２を設け、ナットＮ１とナットＮ２とは互いに逆ネジとし、ナットＮ１とナットＮ２には同軸の左右一体のネジが螺合し、下フレームにはスイッチ操作によって左右ネジを回動せしめる電動モーター機構を持ち、電動モーターの回動により左右一体ネジが回動し、スライドＳ１、スライドＳ２間の距離を変えることで各リンクを回動、摺動せしめ、下フレームに対する上フレームの上下位置を調整することを特徴とする電動昇降テーブル。
【請求項２】
各リンクは回動側端部と摺動側端部、軸部、交差部からなり、以上のリンク各部の少なくとも一部以上が木材からなることを特徴とする請求項１に記載の電動昇降テーブル。
【請求項３】
各リンクは回動側端部と摺動側端部、軸部、交差部からなり、以上のリンク各部の少なくとも一部以上がアルミニュームからなることを特徴とする請求項１に記載の電動昇降テーブル。
【請求項４】
天板には時計、ラジオ、カセットテープレコーダ、コンパクトディスク装置、ＤＶＤ装置の内の１つ以上を一体に組み込んだことを特徴とする請求項１に記載の電動昇降テーブル。
【請求項５】
下フレームの下部にはテーブル全体を移動することが可能なキャスターを設けたことを特徴とする請求項１に記載の電動昇降テーブル。
【請求項６】
天板上部、天板内部、天板下部、上フレーム上部、上フレーム内部、上フレーム下部、下フレーム上部、下フレーム内部、下フレーム下部のいずれかに電気器具用無停電電源装置を設けたことを特徴とする請求項１に記載の電動昇降テーブル。
【請求項７】
電動モーターはサーボモーターまたはステッピングモーターとし、入力装置により予めプリセットした任意のテーブル高さ調整する機構を備えたことを特徴とする請求項１に記載の電動昇降テーブル。
【請求項８】
天板下部、または上フレーム下部に操作者の膝を検出する膝検出センサーを設けたことを特徴とする請求項１に記載の電動昇降テーブル。
【請求項９】
下フレームと上フレームとの間には塵埃や異物または操作者の身体部位が入り込むことを防止する保護カバーを持つことを特徴とする請求項１に記載の電動昇降テーブル。
【請求項１０】
下フレーム側に固定され各リンク機構を周状に覆うとともに上カバーの内側に配置される下カバー、上フレーム側に固定され上フレームとともに昇降し各リンク機構を周状に覆うとともに下カバーの外側に配置される上カバー、以上２つのカバーからなる保護カバーを持つ請求項９に記載の電動昇降テーブル。
【請求項１１】
下フレーム側に固定され各リンク機構を周状に覆うとともに中間カバーの内側に配置される下カバー、上フレーム側に固定され上フレームととも昇降し各リンク機構を周状に覆うとともに下方側に中間カバーを引き上げる爪部１を持ち中間カバーの外側に配置される上カバー、下カバーと上カバーの中間に配置され上カバーの上昇に伴い上カバー爪部１によって引き上げられる爪部２を持ち上カバーの内側かつ下カバーの外側に配置される中間カバー、以上３つのカバーからなる保護カバーを持つ請求項９に記載の電動昇降テーブル。
【発明の詳細な説明】
【０００１】
【産業上の利用分野】
本発明は、天板を昇降する機構を有する電動昇降テーブルに関するものである。
【０００２】
【従来の技術】
近年、役所や、駅、コンベンション施設等の公共施設において利用者自身がコンピュータ端末を操作して各種情報を得るタイプのシステムが増えているが、現状では着座、立位いずれの場合も机の高さは最大公約数的に固定でありよって万人に使い易いものではない。
特に車椅子利用者は立位タイプを利用出来ない等、問題が多い。
【０００３】
またインターネットの普及によりコンピュータとの接続が可能な公衆電話機が増えているが、コンピュータ載置部が固定である上に電話器載置部と同一高さである場合が多く非常に使いにくい。
【０００４】
更に事務オフィス又は設計オフィスにおいて近年コンピュータ、ワークステーションは必要不可欠のツールとなっており、作業の多様化、長時間化が昂進している。
それに伴い適正な姿勢でのデスクワークが阻害され、長時間同一姿勢が原因の腰痛、眼精疲労等の身体的傷害が多発し、社会問題になっている。
また、長時間の同一姿勢は、作業能率の低下にも繋がっている。
【０００５】
これらは天板を昇降する機構を有する電動昇降テーブルを用いることによってある程度解決されるのであり、天板を昇降する機構を有する電動昇降テーブルにおいて一般的な機構としては概略、特開平１１−１１３６４０に開示されるような機構が、天板の下面に左右の支脚をなす筒形の案内脚を設け、その案内脚の内面へ床脚を摺動可能に嵌挿し、案内脚に回動可能で軸方向不動に支持されたネジ軸を床脚に設けたナットに螺合させて、そのネジ軸をモーター等によって回転せしめ天板の昇降を行うという機構が知られる。
【０００６】
ところがこの従来の方法は内部に持つネジ軸が脚の伸縮方向と同一方向であり案内脚の内面へ床脚を摺動可能に嵌挿している部分が昇降ガイドを兼ねているがゆえにネジ軸は上下ストロークの半分以上のストローク長を持つ必要がある。
【０００７】
つまり特開平１１−１１３６４０における案内脚内に回動自在に設けられたネジ軸はネジ軸外周を床脚側に設けたナットに螺合しネジ軸を回動させ天板を上下させるのだから結果として得られる上下ストローク長はネジ軸よりも短いことになり、この構成によればネジ軸を天板上方に突出させるという異常な手段を用いない限り天板最下位置に対する天板最上位置は２倍を越えて設定することは出来ない。
【０００８】
よって着座姿勢用のテーブルとして個々人の座高に合わせて調整を行う程度の昇降ストロークを確保することは可能であるが、１台のテーブルで着座位置（天板高さは床面より平均６００ｍｍ）から立った姿勢（天板高さは床面より平均１４００ｍｍ）までの２倍を超えるストロークを確保することは不可能という問題がある。
【０００９】
【発明が解決しようとする課題】
解決しようとする課題は、従来の天板を昇降する機構を有する電動昇降テーブルにおいて一般的な機構として特開平１１−１１３６４０に開示されるような機構、すなわち天板の下面に左右の支脚をなす筒形の案内脚を設け、その案内脚の内面へ床脚を摺動可能に嵌挿し、案内脚に回動可能で軸方向不動に支持されたネジ軸を床脚に設けたナットに螺合させて、そのネジ軸をモーター等によって回転せしめ天板の昇降を行うという機構においては、その内部に持つネジ軸が脚の伸縮方向と同一方向であり案内脚の内面へ床脚を摺動可能に嵌挿している部分が昇降ガイドを兼ねているがゆえにネジ軸は上下ストロークの半分以上のストローク長を持つ必要がある。つまり案内脚内に回動自在に設けられたネジ軸はネジ軸外周を床脚側に設けたナットに螺合しネジ軸を回動させ天板を上下させるのだから結果として得られる上下ストローク長はネジ軸よりも短いことになり、この構成によればネジ軸を天板上方に突出させるという異常な手段を用いない限り天板最下位置に対する天板最上位置は２倍を越えて設定することは出来ないので、例えば着座姿勢用のテーブルとして個々人の座高に合わせて調整を行う程度の昇降ストロークを確保することは可能であるが、１台のテーブルで着座位置（座位：天板高さは床面より平均６００ｍｍ）から立った姿勢（立位：天板高さは床面より平均１４００ｍｍ）までの２倍を超えるストロークを確保することが不可能であるという点である。
【００１０】
【課題を解決するための手段】
そして、本発明においては、上述の目的を達成するために、下フレームの前方一端側にその一端を回動自在に装設されるとともに他の端部が上フレーム前方に摺動自在に装架される前下第１リンク、下フレーム前方の他端側にその一端を回動自在に装設されるとともに他の端部が上フレーム前方に摺動自在に装架される前下第２リンク、上フレーム前方の一端側にその一端を回動自在に装設されるとともに他の端部が下フレーム前方に摺動自在に装架される前上第１リンク、下フレーム前方の他端側にその一端を回動自在に装設されるとともに他の端部が上フレーム前方に摺動自在に装架される前上第２リンク、以上４つのリンクは前下第１リンクと前上第１リンクの交差部及び前下第２リンクと前上第２リンクの交差部は相互に回転自在に結ばれる前リンク機構。下フレーム後方の一端側にその一端を回動自在に装設されるとともに他の端部が上フレーム後方に摺動自在に装架される後下第１リンク、下フレーム後方の他端側にその一端を回動自在に装設されるとともに他の端部が上フレーム後方に摺動自在に装架される後下第２リンク、上フレーム後方の一端側にその一端を回動自在に装設されるとともに他の端部が下フレーム後方に摺動自在に装架される後上第１リンク、下フレーム後方の他端側にその一端を回動自在に装設されるとともに他の端部が上フレーム後方に摺動自在に装架される後上第２リンク、以上４つのリンクは後下第１リンクと後上第１リンクの交差部及び後下第２リンクと後上第２リンクの交差部は相互に回転自在に結ばれる後リンク機構。以上２組のリンク機構を一定の距離をおき前後に平行に配し、上フレーム上面にはテーブルの天板が載置されるかまたは上フレーム上面が天板となり、下フレームに摺動自在に装架される前上第１リンクと後上第１リンクとはスライドＳ１によって下部が一体に締結構成され、また前上第２リンクと後上第２リンクとはスライドＳ２によって下部が一体に締結構成され、スライドＳ１にはネジ式直動機構のナットＮ１を設け、スライド２にはネジ式直動機構のナットＮ２を設け、ナットＮ１とナットＮ２とは互いに逆ネジとし、ナットＮ１とナットＮ２には同軸の左右一体のネジが螺合し、下フレームにはスイッチ操作によって左右ネジを回動せしめる電動モーター機構を持ち、電動モーターの回動により左右一体ネジが回動し、スライドＳ１、スライドＳ２間の距離を変えることで各リンクを回動、摺動せしめ、下フレームに対する上フレームの上下位置を調整することを特徴とする電動昇降テーブルを提起するものである。
【００１１】
【発明の実施の形態】
【実施例１】
本発明手段による電動昇降テーブルを以下図面により詳述する。
図１は、本発明手段による電動昇降テーブルの正面図であり天板がストロークの下端に位置した状態を示す。
図２は、同様に本発明手段による電動昇降テーブルの正面図であり天板がストロークの上端に位置した状態を示す。
図３は、本発明手段による電動昇降テーブルの左即面図であり天板がストロークの下端に位置した状態を示す。
図４は、本発明手段による電動昇降テーブルの左即面図であり天板がストロークの上端に位置した状態を示す。
【００１２】
先ず本発明手段による電動昇降テーブルの各構成要素の説明を行うこととする。
下フレームＦ１は全体のベースフレームとも言うべきものでありテーブル全体を支えるものである。
【００１３】
下フレームＦ１の前方の図面右側には前下第１リンクＦＬ１が、前方図面左側には前下第２リンクＦＬ２が、後方の図面右側には後下第１リンクＢＬ１が、後方図面左側には後下第２リンクＢＬ２がそれぞれ支点ｐを回転中心に回動自在に装設される。
上フレームＦ２はテーブルの顔とも言うべき天板Ｔと一体に構成され以下のの機構により上下昇降するものである。
【００１４】
上フレームＦ２の前方の図面右側には前上第１リンクＦＵ１が、前方図面左側には前上第２リンクＦＵ２が、後方の図面右側には後上第１リンクＢＵ１が、後方図面左側には後上第２リンクＢＵ２がそれぞれ支点ｐを回転中心に回動自在に装設される。
【００１５】
下フレームＦ１に、それぞれ支点ｐを回転中心に回動自在に装設される前下第１リンクＦＬ１、前下第２リンクＦＬ２、後下第１リンクＢＬ１、後下第２リンクＢＬ２の４つのリンクは上方にコロＣを持ち、４つのコロＣは上フレームＦ２の下面に設けたレールＲ２内に嵌挿され転がり、上フレームＦ２を載架する。
【００１６】
上フレームＦ２に、それぞれ支点ｐを回転中心に回動自在に装設される前上第１リンクＦＵ１、前上第２リンクＦＵ２、後上第１リンクＢＵ１、後上第２リンクＢＵ２の４つのリンクは下方にコロＣを持ち、４つのコロＣは上フレームＦ２の上面に設けたレールＲ１内に嵌挿され転がり、上フレームＦ２を載架する。
【００１７】
前下第１リンクＦＬ１と前上第１リンクＦＵ１の中間部、前下第２リンクＦＬ２と前上第２リンクＦＵ２の中間部、後下第１リンクＢＬ１と後上第１リンクＢＵ１の中間部、後下第２リンクＢＬ２と後上第２リンクＢＵ２の交差部はそれぞれ相互に回転自在に結ばれている。
【００１８】
前下第１リンクＦＬ１、前下第２リンクＦＬ２、前上第１リンクＦＵ１、前上第２リンクＦＵ２からなる前リンク機構と、後下第１リンクＢＬ１、後下第２リンクＢＬ２、後上第１リンクＢＵ１、後上第２リンクＢＵ２からなる後リンク機構は一定の距離をおいて平行に配置されている。
各リンクは上下の各フレームに回動自在に装設される回動側端部と、上下の各フレームにコロＣを介して摺動に装設される摺動側端部、軸部、交差部からなり、以上のリンク各部の材料は、目的や設置場所、搭載加重により木材、スチール、アルミニュームあるいはそれらの組み合わせのいずれでもかまわない。
【００１９】
上フレームＦ２の上面にはテーブルの天板Ｔが載置されている。
下フレーム下部のレールＲ１内に嵌挿され自在に転がる前上第１リンクＦＵ１と後上第１リンクＢＵ１とはスライドＳ１によってその下部が一体に締結構成されている。
同様に前上第２リンクＦＵ２と後上第２リンクＢＵ２とはスライドＳ２によってその下部が一体に締結構成されている。
スライドＳ１にはネジ式直動機構のナットＮ１部をスライドＳ１に対して回動自在に設け、スライドＳ２にはネジ式直動機構のナットＮ２を設け、ナットＮ１とナットＮ２とは互いに逆ネジとしている。
ナットＮ１とナットＮ２には同軸の左右一体のネジＳＣが螺合している。
【００２０】
下フレームＦ２には昇降スイッチＳＷの操作によってネジＳＣを回動せしめる電動モーター機構Ｍを設け、電動モーターの回動によりネジＳＣが回動すべく構成されている。
【００２１】
昇降スイッチは本実施例においては天板Ｔの下面に設置したが、天板Ｔの上面、天板Ｔの下部、下フレームＦ１上部、フットスイッチ方式等々、使用目的に応じて使いやすい位置に配置するものとする。
締結要素としてのネジ、ナット、電動モーター機構Ｍを駆動制御する電気制御機構、電気配線については図示しないものとする。
【００２２】
次に本発明手段による電動昇降テーブルの動作につき説明を行う。
初期状態としては便宜上、図１または図３の如く天板Ｔがストロークの下端に位置した状態とする。
【００２３】
昇降スイッチＳＷの操作により電動モーター機構Ｍが作動し図３視において矢印の如く反時計まわりにネジを回動する。
するとネジの図１視において右側の右ネジ部に螺合したスライド１のナットＮ１は図１視において右側に移動し、同時にネジの図１視において左側の左ネジ部に螺合したスライド２のナットＮ２は図１視においてレールＲ１を左側に移動する。
よってスライド１に回動自在にかつそれぞれ一体に締結された前上、ＦＵ１、ＦＵ１と後上第１リンクＢＵ１もその下部がスライド１とともに図１視においてレールＲ１を右側に移動し、同様にスライド２に回動自在にかつそれぞれ一体に締結された前上第２リンクＦＵ２と後上第２リンクＢＵ２もその下部がスライド２とともに図１視において左側に移動する。
【００２４】
この状態で図１視における前上第１リンクＦＵ１と後上第１リンクＢＵ１の支点ｐと、前上第２リンクＦＵ２と後上第２リンクＢＵ２の支点ｐとの距離は変わらないのだからスライド１及びスライド２が互いの距離を狭めるに従い上フレームＦ２を押し上げることになる。
【００２５】
上フレームＦ２の上昇に伴い同時に、下フレームＦ１上部に支点ｐを回転中心に回動自在にかつ上フレームＦ２のレールＲ２にコロＣにて移動自在に設けた前下第１リンクＦＬ１、後下第１リンクＢＬ１、前下第２リンクＦＬ２、後上第２リンクＢＵ２も、上端のコロＣとともに上昇する。
以上、モーター機構Ｍの動作によって上フレームＦ２とともに天板Ｔが上昇し、またモーター機構Ｍの逆転動作によって上フレームＦ２とともに天板Ｔが下降し、昇降機構を構成するのである。
【００２６】
この機構によればは図１の如く天板Ｔがストロークの下端に位置した状態での天板Ｔ高さと、図３の如く天板がストロークの下端に位置した状態での天板Ｔ高さは２つの図で比較しても明らかなように２倍以上のストロークを容易に確保することが可能になるのである。
またこの機構によれば、前後上下に、計８本のリンクを設けることにより極めて高い剛性を確保でき、パソコンやワークステーション、その周辺機器により偏荷重がかかった場合においても十分な強度を保持出来るのである。
【００２７】
【実施例２】
図５は、請求項８乃至請求項１１に示す本発明手段による膝センサーと保護カバー付き電動昇降テーブルの左側面図であり天板がストロークの下端に位置した状態を示す。
【００２８】
また図６は同様に請求項８乃至請求項１１に示す本発明手段による膝センサーと保護カバー付き電動昇降テーブルの左側面図であり天板がストロークの上端に位置した状態を示す。図７は同状態においてカバーの構造を示す左側断面図である。
【００２９】
本実施例の膝センサーＨＳは天板に載置したパソコンやワークステーションを操作する操作者が天板の上下を行う際に誤って自分の膝を挟んでしまう恐れがあるため、操作者の膝を検出しテーブルの上下を抑制するために設けたものであり、リミットスイッチや光電式センサーまたは電界磁界の変化を検知する近接センサー等々いずれであってもかまわない。
【００３０】
更には下フレームＦ１と上フレームＦ２との間保護カバーＣ１〜Ｃ３を設けることによりには塵埃や異物または操作者の身体部位が入り込むことを防止出来る。
本発明手段による電動昇降テーブルは下端に対して上端が２倍以上のストロークを持つため、特に図６に示す保護カバーは三段式であり、下カバーＣ１は下フレーム側に固定され各リンク機構を周状に覆うとともに中間カバーの内側に配置される。
【００３１】
上カバーＣ３は、上フレーム側に固定され上フレームととも昇降し各リンク機構を周状に覆うとともに下方側に中間カバーを引き上げる爪部Ａを持ち中間カバーの外側に配置される。
中間カバーＣ２は、下カバーと上カバーの中間に配置され上カバーの上昇に伴い上カバー爪部Ａによって引き上げられる爪部Ｂを持ち上カバーの内側かつ下カバーの外側に配置される。
【００３２】
【発明の効果】
本発明による電動昇降テーブル、すなわち下フレームの前方一端側にその一端を回動自在に装設されるとともに他の端部が上フレーム前方に摺動自在に装架される前下第１リンク、下フレーム前方の他端側にその一端を回動自在に装設されるとともに他の端部が上フレーム前方に摺動自在に装架される前下第２リンク、上フレーム前方の一端側にその一端を回動自在に装設されるとともに他の端部が下フレーム前方に摺動自在に装架される前上第１リンク、下フレーム前方の他端側にその一端を回動自在に装設されるとともに他の端部が上フレーム前方に摺動自在に装架される前上第２リンク、以上４つのリンクは前下第１リンクと前上第１リンクの交差部及び前下第２リンクと前上第２リンクの交差部は相互に回転自在に結ばれる前リンク機構。下フレーム後方の一端側にその一端を回動自在に装設されるとともに他の端部が上フレーム後方に摺動自在に装架される後下第１リンク、下フレーム後方の他端側にその一端を回動自在に装設されるとともに他の端部が上フレーム後方に摺動自在に装架される後下第２リンク、上フレーム後方の一端側にその一端を回動自在に装設されるとともに他の端部が下フレーム後方に摺動自在に装架される後上第１リンク、下フレーム後方の他端側にその一端を回動自在に装設されるとともに他の端部が上フレーム後方に摺動自在に装架される後上第２リンク、以上４つのリンクは後下第１リンクと後上第１リンクの交差部及び後下第２リンクと後上第２リンクの交差部は相互に回転自在に結ばれる後リンク機構。以上２組のリンク機構を一定の距離をおき前後に平行に配し、上フレーム上面にはテーブルの天板が載置されるかまたは上フレーム上面が天板となり、下フレームに摺動自在に装架される前上第１リンクと後上第１リンクとはスライドＳ１によって下部が一体に締結構成され、また前上第２リンクと後上第２リンクとはスライドＳ２によって下部が一体に締結構成され、スライドＳ１にはネジ式直動機構のナットＮ１を設け、スライド２にはネジ式直動機構のナットＮ２を設け、ナットＮ１とナットＮ２とは互いに逆ネジとし、ナットＮ１とナットＮ２には同軸の左右一体のネジが螺合し、下フレームにはスイッチ操作によって左右ネジを回動せしめる電動モーター機構を持ち、電動モーターの回動により左右一体ネジが回動し、スライドＳ１、スライドＳ２間の距離を変えることで各リンクを回動、摺動せしめ、下フレームに対する上フレームの上下位置を調整することを特徴とする電動昇降テーブルは、ネジ軸のストロークによることなく任意のストロークを設定することが可能になるのだから、従来技術による電動昇降テーブルの問題は解決されるのであり、本発明による電動昇降テーブルの公共施設で増えている共同端末での利用やコンピュータ接続可能な公衆電話での利用においては、大人から子供、車椅子利用者まで着座、立位とも最適高さでの利用が可能になるのである。
また、オフィスにおいては本発明による電動昇降テーブル導入により、天板高さが座位から立位まで任意の高さに容易に調整することが可能となるため、人間工学的見地からも最適な作業姿勢が確保出来、身体的傷害の予防、作業能率の維持、向上が図られるのである。
【００】
【図面の簡単な説明】
【図１】本発明手段による電動昇降テーブルの正面図であり天板がストロークの下端に位置した状態を示す。
【図２】本発明手段による電動昇降テーブルの正面図であり天板がストロークの上端に位置した状態を示す。
【図３】本発明手段による電動昇降テーブルの左側面図であり天板がストロークの下端に位置した状態を示す。
【図４】本発明手段による電動昇降テーブルの左側面図であり天板がストロークの上端に位置した状態を示す。
【図５】本発明手段による膝センサーと保護カバー付き電動昇降テーブルの左側面図であり天板がストロークの下端に位置した状態を示す。
【図６】本発明手段による膝センサーと保護カバー付き電動昇降テーブルの左側面図であり天板がストロークの上端に位置した状態を示す。
【図７】本発明手段による膝センサーと保護カバー付き電動昇降テーブルの保護カバーの構造を示す左側断面図であり天板がストロークの上端に位置した状態を示す。内部のリンク機構は図示しない。
【符号の説明】
Ｆ１  ・・・下フレーム
ＦＬ１・・・前下第１リンク
ＦＬ２・・・前下第２リンク
ＢＬ１・・・後下第１リンク
ＢＬ２・・・後下第２リンク
ｐ    ・・・支点
Ｆ２  ・・・上フレーム
Ｔ    ・・・天板
ＦＵ１・・・前上第１リンク
ＦＵ２・・・前上第２リンク
ＢＵ１・・・後上第１リンク
ＢＵ２・・・後上第２リンク
Ｃ    ・・・コロ
Ｒ１  ・・・レール
Ｒ２  ・・・レール
Ｓ１  ・・・スライド
Ｓ２  ・・・スライド
Ｎ１  ・・・ナット部
Ｎ２  ・・・ナット部
ＳＣ  ・・・ネジ
ＳＷ  ・・・昇降スイッチ
Ｍ    ・・・電動モーター機構
ＨＳ  ・・・膝センサー
Ｃ１  ・・・下カバー
Ｃ２  ・・・上カバー
Ｃ３  ・・・中間カバー
【図１】
2004290644.tif 000003
【図２】
2004290644.tif 000004
【図３】
2004290644.tif 000005
【図４】
2004290644.tif 000006
【図５】
2004290644.tif 000007
【図６】
2004290644.tif 000008
【図７】
2004290644.tif 000009